(57)【要約】【課題】外光のスペクトルが変化しても対象物に照射する照明光をそのスペクトルが一定となるように調整可能にする。【解決手段】照明装置１０６は、互いに透明な第１基板２１７と第２基板２１１の間に、発光素子２１２と遮光層２１６を備える。発光素子２１２の発光層２１４は、赤色光を発光する第１領域（Ｒ）と、緑色光を発光する第２領域（Ｇ）と、青色光を発光する第３領域（Ｂ）とに分かれている。また、発光層２１４を挟んで対向する第１電極２１５と第２電極２１３の少なくとも一方は、第１領域と対向する位置に設けられた部分電極と、第２領域と対向する位置に設けられた部分電極と、第３領域と対向する位置に設けられた部分電極とに分かれている。第１領域と第２領域と第３領域の各々から発光された光と、観察者側から遮光層２１６と重ならない部分を介して照明装置１０６に入射された外光とが、照明光として第２基板２１１を介して出射される。【選択図】図２
2010232268.tif 000002
【特許請求の範囲】
【請求項１】
対象物に照明光を照射する照明装置であって、
観察者側に位置する透明な第１基板と、
前記第１基板と対向し、前記対象物側に位置する透明な第２基板と、
前記第１基板と前記第２基板との間に設けられ、光を発する発光素子と、
前記発光素子と前記第１基板との間に設けられ、前記発光素子から前記第１基板に向かって出射される光を遮光する遮光層とを備え、
前記発光素子は、発光材料で形成された発光層と、当該発光層を挟んで対向する第１電極および第２電極とを有し、
前記発光層は、赤色光を発光する第１領域と、緑色光を発光する第２領域と、青色光を発光する第３領域とに分かれており、
前記第１電極と前記第２電極の少なくとも一方は、前記第１領域と対向する位置に設けられた第１部分電極と、前記第２領域と対向する位置に設けられた第２部分電極と、前記第３領域と対向する位置に設けられた第３部分電極とに分かれており、
前記第１領域と前記第２領域と前記第３領域の各々から発光された光と、前記観察者側から前記第１基板を介して入射された外光とを、前記照明光として前記第２基板を介して前記対象物側に出射する
ことを特徴とする照明装置。
【請求項２】
外光のスペクトルを検出する検出手段と、
前記検出手段の検出結果に基づいて、前記照明光のスペクトルが一定となるように前記第１領域と前記第２領域と前記第３領域の各々からの発光量を調整する調整手段とをさらに備える
ことを特徴とする請求項１に記載の照明装置。
【請求項３】
前記調整手段は、前記照明光が白色光となるように前記第１領域と前記第２領域と前記第３領域の各々からの発光量を調整する
ことを特徴とする請求項２に記載の照明装置。
【請求項４】
前記検出手段は、外光に含まれる赤色光と緑色光と青色光の各々の強度を検出する
ことを特徴とする請求項２または３に記載の照明装置。
【請求項５】
前記検出手段は、
赤色光を透過する赤色透過膜と、
緑色光を透過する緑色透過膜と、
青色光を透過する青色透過膜と、
前記赤色透過膜を透過した外光の光量に応じた大きさの検出信号を出力する第１受光素子と、
前記緑色透過膜を透過した外光の光量に応じた大きさの検出信号を出力する第２受光素子と、
前記青色透過膜を透過した外光の光量に応じた大きさの検出信号を出力する第３受光素子とを備え、
前記赤色透過膜の透過特性は前記第１領域から発光される赤色光のスペクトルに応じて定められ、前記緑色透過膜の透過特性は前記第２領域から発光される緑色光のスペクトルに応じて定められ、前記青色透過膜の透過特性は前記第３領域から発光される青色光のスペクトルに応じて定められている
ことを特徴とする請求項４に記載の照明装置。
【請求項６】
前記発光素子は有機エレクトロルミネッセンス素子である
ことを特徴とする請求項１乃至５のうちいずれか１項に記載の照明装置。
【請求項７】
請求項１乃至６のうちいずれか１項に記載の照明装置と、
画像を表示する表示部とを備え、
前記表示部のうち画像が表示される表示面に前記照明装置の前記第２基板が接している
ことを特徴とする表示装置。
【請求項８】
請求項７に記載の表示装置を備えたことを特徴とする電子機器。
【発明の詳細な説明】
【技術分野】
【０００１】
本発明は、照明装置、表示装置および電子機器に関する。
【背景技術】
【０００２】
反射型液晶装置の中には、フロントライトを備え、外光の光量が不十分な暗い環境下でも画像を表示できるようにしたものがある。また、フロントライトの光源として有機エレクトロルミネッセンス素子を用いたものがある（例えば、特許文献１）。
また、フロントライトを備えた反射型液晶装置では、フロントライトからの出射光だけでなく室内灯の光や太陽光などの外光も液晶パネルに入射されるので、外光の強度変化が表示輝度に影響を及ぼす。このため特許文献２には、外光とフロントライトからの照射光の両者を液晶パネルの表示面照度として検出し、検出した表示面照度に応じてフロントライトの発光量をフィードバック制御することで、最適な表示輝度を保つようにしたことが記載されている。
【先行技術文献】
【特許文献】
【０００３】
【特許文献１】特開２００６−１５４４０２号公報
【特許文献２】特許第４０６２２５４号公報
【発明の概要】
【発明が解決しようとする課題】
【０００４】
例えば表示装置を夜間室内で使用する場合は蛍光灯や白熱灯からの光が外光となるが、表示装置を日中屋外で使用する場合は太陽光が外光となる。このように表示装置の使用環境などに応じて外光のスペクトルは変化するが、特許文献２では、外光の強度変化に応じてフロントライトの発光量を調整しているだけであるので、外光のスペクトルが変化すると表示画像の色味が変わってしまう。例えば表示装置を白熱灯の下で使用している場合、白熱灯の光には可視光領域のうち長波長側の成分が多く含まれているので、表示画像が全体的に赤みを帯びてしまう。
【０００５】
本発明は、上述した課題に鑑みてなされたものであり、外光のスペクトルが変化しても対象物に照射する照明光をそのスペクトルが一定となるように調整可能な照明装置を提供することを課題とする。また、外光のスペクトルが変化しても表示画像の色味や色再現性を一定に保つことが可能な表示装置、およびこれを用いた電子機器を提供することを課題とする。
【課題を解決するための手段】
【０００６】
以上の課題を解決するために、本発明に係る照明装置は、対象物に照明光を照射する照明装置であって、観察者側に位置する透明な第１基板と、前記第１基板と対向し、前記対象物側に位置する透明な第２基板と、前記第１基板と前記第２基板との間に設けられ、光を発する発光素子と、前記発光素子と前記第１基板との間に設けられ、前記発光素子から前記第１基板に向かって出射される光を遮光する遮光層とを備え、発光材料で形成された発光層と、当該発光層を挟んで対向する第１電極および第２電極とを有し、前記発光層は、赤色光を発光する第１領域と、緑色光を発光する第２領域と、青色光を発光する第３領域とに分かれており、前記第１電極と前記第２電極の少なくとも一方は、前記第１領域と対向する位置に設けられた第１部分電極と、前記第２領域と対向する位置に設けられた第２部分電極と、前記第３領域と対向する位置に設けられた第３部分電極とに分かれており、前記第１領域と前記第２領域と前記第３領域の各々から発光された光と、前記観察者側から前記第１基板を介して入射された外光とを、前記照明光として前記第２基板を介して前記対象物側に出射することを特徴とする。
【０００７】
以上の構成によれば、発光素子の発光層は、赤色光を発光する第１領域と、緑色光を発光する第２領域と、青色光を発光する第３領域とに分かれている。また、発光層を挟んで対向する第１電極と第２電極の少なくとも一方は、第１領域と対向する位置に設けられた第１部分電極と、第２領域と対向する位置に設けられた第２部分電極と、第３領域と対向する位置に設けられた第３部分電極とに分かれている。
したがって、第１領域を挟んで対向する第１部分電極と他方の電極との電位差を変更することで第１領域からの赤色光の発光量を調整することができ、第２領域を挟んで対向する第２部分電極と他方の電極との電位差を変更することで第２領域からの緑色光の発光量を調整することができ、第３領域を挟んで対向する第３部分電極と他方の電極との電位差を変更することで第３領域からの青色光の発光量を調整することができる。つまり、第１領域から発光される赤色光の強度と、第２領域から発光される緑色光の強度と、第３領域から発光される青色光の強度を個別に調整することができるので、外光のスペクトルが変化しても対象物に照射する照明光をそのスペクトルが一定となるように調整することができる。
【０００８】
また、上述した照明装置において、外光のスペクトルを検出する検出手段と、前記検出手段の検出結果に基づいて、前記照明光のスペクトルが一定となるように前記第１領域と前記第２領域と前記第３領域の各々からの発光量を調整する調整手段とをさらに備える構成であってもよい。この場合、外光のスペクトルが変化しても対象物に照射する照明光のスペクトルを一定に保つことができる。
【０００９】
また、上述した照明装置において、前記調整手段は、前記照明光が白色光となるように前記第１領域と前記第２領域と前記第３領域の各々からの発光量を調整する構成であってもよい。この場合、外光のスペクトルが変化しても対象物に照射する照明光を白色光に保つことができる。
【００１０】
また、上述した照明装置において、前記検出手段は、外光に含まれる赤色光と緑色光と青色光の各々の強度を検出する構成であってもよい。照明光は、赤色光と緑色光と青色光の発光量を調整することでそのスペクトルが一定となるように制御されるので、外光のスペクトルを詳細に解析せずとも、外光に含まれる赤色光と緑色光と青色光の各々の強度を検出することで、照明光のスペクトルを調整するために必要となる最低限の情報を得ることができる。
【００１１】
また、上述した照明装置において、前記検出手段は、赤色光を透過する赤色透過膜と、緑色光を透過する緑色透過膜と、青色光を透過する青色透過膜と、前記赤色透過膜を透過した外光の光量に応じた大きさの検出信号を出力する第１受光素子と、前記緑色透過膜を透過した外光の光量に応じた大きさの検出信号を出力する第２受光素子と、前記青色透過膜を透過した外光の光量に応じた大きさの検出信号を出力する第３受光素子とを備え、前記赤色透過膜の透過特性は前記第１領域から発光される赤色光のスペクトルに応じて定められ、前記緑色透過膜の透過特性は前記第２領域から発光される緑色光のスペクトルに応じて定められ、前記青色透過膜の透過特性は前記第３領域から発光される青色光のスペクトルに応じて定められている構成であってもよい。この場合、照明光のスペクトルを正確に調整することができる。
【００１２】
また、上述した照明装置において、前記発光素子は有機エレクトロルミネッセンス素子であってもよい。有機ＥＬ素子は薄型・軽量といった特徴を有するので、照明装置の薄型化や軽量化を図ることができる。
【００１３】
また、本発明に係る表示装置は、上述したいずれかの照明装置と、画像を表示する表示部とを備え、前記表示部のうち画像が表示される表示面に前記照明装置の前記第２基板が接していることを特徴とする。
この場合、照明装置は、第１領域から発光される赤色光の強度と、第２領域から発光される緑色光の強度と、第３領域から発光される青色光の強度を個別に調整することができるので、外光のスペクトルが変化しても表示面に照射する照明光をそのスペクトルが一定となるように調整することができる。したがって、外光のスペクトルが変化しても表示面に表示される画像の色味を一定に保つことができる。また、表示装置が反射型液晶装置や電子ペーパーなどの反射型表示装置である場合は、色再現性を一定に保つことができる。
【００１４】
また、本発明に係る電子機器は上述した表示装置を備えることを特徴とする。電子機器には、例えばパーソナルコンピューターや携帯電話機などが含まれる。
【図面の簡単な説明】
【００１５】
【図１】本実施形態に係る表示装置の構成を示すブロック図である。
【図２】図１におけるＡ−Ａ’断面図である。
【図３】フロントライトの詳細構造を示す断面図（ボトムエミッション型）である。
【図４】フロントライトの詳細構造を示す断面図（トップエミッション型）である。
【図５】光センサーの構造を示す断面図である。
【図６】光センサーに備わる各透過膜（Ｒ，Ｇ，Ｂ）の透過特性と、発光素子に備わる各発光層（Ｒ，Ｇ，Ｂ）の発光スペクトルとの関係を示すグラフである。
【図７】本発明に係る電子機器の具体例を示す斜視図である。
【図８】本発明に係る電子機器の具体例を示す斜視図である。
【図９】本発明に係る電子機器の具体例を示す斜視図である。
【発明を実施するための形態】
【００１６】
以下、添付した図面を参照して本発明に係る実施の形態を説明する。なお、図面において各部の寸法の比率は実際のものと異なる。また、各図において共通する部分には同一の符号を付している。
【００１７】
＜１．実施形態＞
図１は、本実施形態に係る表示装置１の構成を示すブロック図である。
同図に示すように表示装置１は反射型液晶パネル１０１を備える。反射型液晶パネル１０１の表示領域１０２には、図示を省略しているが行方向に延在する複数の走査線と列方向に延在する複数のデータ線とが形成されており、走査線とデータ線との各交差に対応する位置に液晶素子が設けられている。また、表示装置１は、走査線を駆動する走査線駆動回路１０３と、データ線を駆動するデータ線駆動回路１０４と、これらの両回路１０３，１０４を制御する制御回路１０５とを備える。
【００１８】
制御回路１０５は、クロック信号などを含んだ制御信号Ｃ１を走査線駆動回路１０３に供給する。また、制御回路１０５は、表示すべき画像に応じたデータ信号などを含んだ制御信号Ｃ２をデータ線駆動回路１０４に供給する。走査線駆動回路１０３は、制御信号Ｃ１に基づいて走査線を１本ずつ順番に選択する。また、データ線駆動回路１０４は、制御信号Ｃ２に基づいて、選択中の走査線に対応する１行分の液晶素子の各々に対し、表示すべき階調に応じたデータ信号をデータ線経由で供給する。
【００１９】
また、反射型液晶パネル１０１の前面（表示面ＦＳ）には、表示領域１０２の全域を覆うようにフロントライト１０６が貼り合わされている。詳細については後述するが、フロントライト１０６は光源として複数の発光素子を備える。各発光素子は、２つの電極の間に有機ＥＬ材料で形成された発光層を挟んだ有機ＥＬ素子であり、２つの電極から注入した正孔と電子が発光層中で結合することにより発光する。また、発光層は、赤色光を発光する領域と、緑色光を発光する領域と、青色光を発光する領域とに分かれている。光センサー１０７は、外光のスペクトルを検出し、検出結果ＤＡを制御回路１０５に供給する。制御回路１０５は、検出結果ＤＡに基づいて、各発光素子の発光量を赤色光と緑色光と青色光の各々ごとに制御するための制御信号Ｃ３を生成する。また、調光回路１０８は、制御信号Ｃ３に基づいて、各発光素子の発光量を赤色光と緑色光と青色光の各々ごとに調整する。
【００２０】
このようにフロントライト１０６、光センサー１０７、制御回路１０５および調光回路１０８は、反射型液晶パネル１０１の表示領域１０２を前面から照らす照明装置を構成している。また、光センサー１０７、制御回路１０５および調光回路１０８は、フロントライト１０６からの照射光のスペクトルを調整する調整手段を構成している。
【００２１】
図２は、図１におけるＡ−Ａ’断面図である。
表示基板２０１上には、複数のＴＦＴ（薄膜トランジスタ）２０２に加え、図示を省略しているが各種の配線（例えばデータ線や走査線）が形成されている。これらのＴＦＴ２０２や配線が形成された表示基板２０１の表面は絶縁層２０３によって覆われている。また、絶縁層２０３上には複数の画素電極２０４が形成される。各画素電極２０４は、アルミニウムなどの光反射性を有する材料によって形成され、コンタクトホールを介して対応するＴＦＴ２０２と電気的に接続されている。
【００２２】
また、対向基板２０７の表示基板２０１と対向する面には共通電極２０６が形成されている。対向基板２０７は透明材料で形成され、共通電極２０６も導電性を有する透明材料で形成されている。対向基板２０７と表示基板２０１とは所定の間隙を保って貼り合わされており、共通電極２０６と各画素電極２０４との間に液晶２０５が充填される。１つの画素電極２０４と、この画素電極２０４と対向する共通電極２０６の一部と、その間に挟持された液晶２０５は、１つの液晶素子ＬＣを構成する。また、液晶２０５の光透過率は、画素電極２０４と共通電極２０６との電位差に応じて液晶素子ＬＣごとに変化する。
【００２３】
一方、対向基板２０７の他方の面（表示基板２０１と対向しない面）には、光散乱層２０８と偏光板２０９が積層される。偏光板２０９は、フロントライト１０６からの照明光（各発光素子２１２からの出射光＋外光）を所定の方向に偏光するためのものである。また、光散乱層２０８は、偏光板２０９から入射した光を散乱させて各画素電極２０４に均一に照射するためのものである。また、偏光板２０９上に形成された樹脂層２１０によって反射型液晶パネル１０１とフロントライト１０６とが接着される。
【００２４】
フロントライト１０６は、樹脂層２１０上に設けられた透明な第２基板２１１と、第２基板２１１上に形成された複数の発光素子２１２と、各発光素子２１２の上に形成された遮光層２１６と、外気や水分などから各発光素子２１２を保護するために第２基板２１１と対向して設けられた透明な第１基板２１７とを備える。第１基板２１７および第２基板２１１は、ガラスなどの透明材料で形成される。
【００２５】
遮光層２１６は、発光素子２１２から図中上方（観察者側）に向かって出射される光を遮光し、コントラストの低下を防ぐ目的で設けられているが、これと同時に観察者側から第１基板２１７に入射する外光を反射しないことが望ましい。このため遮光層２１６は、光反射率の低い材料（例えば、クロムや酸化クロム、酸化亜鉛）で形成される。また、複数の発光素子２１２は、各々離間して配置されており、フロントライト１０６を観察者側から見たとき、例えば千鳥配置やマトリクス状に配置されている。これは遮光層２１６についても同様である。また、発光素子２１２や遮光層２１６は、表示画像の視認に邪魔にならない程度の微細なパターンで形成されている。
【００２６】
各発光素子２１２は、発光材料によって形成された発光層２１４と、発光層２１４を挟んで対向する第１電極２１５と第２電極２１３を備える。発光層２１４は、赤色光を発光する第１領域（Ｒ）と、緑色光を発光する第２領域（Ｇ）と、青色光を発光する第３領域（Ｂ）とに分かれている。また、第１電極２１５と第２電極２１３のうち、反射型液晶パネル１０１側に位置する第２電極２１３は、導電性を有する透明材料で形成されている。
【００２７】
フロントライト１０６は、各発光素子２１２からの出射光（赤色光＋緑色光＋青色光）と、観察者側から各遮光層２１６が配置されていない部分を通って入射してきた外光とを、照明光として反射型液晶パネル１０１に照射する。この照明光は、樹脂層２１０，偏光板２０９，光散乱層２０８，対向基板２０７，共通電極２０６を通過して液晶２０５に入射され、各画素電極２０４により反射される。また、各画素電極２０４により反射された光は、同じ経路を逆戻りしてフロントライト１０６に入射され、各遮光層２１６が配置されていない部分を通って観察者側に到達する。なお、液晶２０５の光透過率は、各画素電極２０４と共通電極２０６との電位差に応じて液晶素子ＬＣごとに変化する。このため画素電極２０４ごとに反射する光の強度が制御され、光変調による階調表示が実現される。
【００２８】
図３は、フロントライト１０６の詳細構造を示す断面図である。
なお、同図にはフロントライト１０６の一部分（１つの発光素子２１２に対応する部分）のみを示している。また同図に示す構造はボトムエミッション型である。第２基板２１１上には配線層２１８が形成される。また配線層２１８の表面には隔壁２１９ａ〜２１９ｄが形成されている。隔壁２１９ａ〜２１９ｄは、絶縁性の透明材料、例えばアクリルやポリイミドなどによって形成される。
【００２９】
隔壁２１９ａと隔壁２１９ｂとの間には、赤色光を発光する赤色発光層２１４ｒ（第１領域）と部分電極２１３ｒが形成され、隔壁２１９ｂと隔壁２１９ｃとの間には、緑色光を発光する緑色発光層２１４ｇ（第２領域）と部分電極２１３ｇが形成され、隔壁２１９ｃと隔壁２１９ｄとの間には、青色光を発光する青色発光層２１４ｂ（第３領域）と部分電極２１３ｂが形成される。また、これらの発光層２１４ｒ〜２１４ｂと隔壁２１９ａ〜２１９ｄの上には、全面にわたって第１電極２１５が形成される。そして、第１基板２１７において第２基板２１１と対向する面には、発光素子２１２ごとに遮光層２１６が形成される。
【００３０】
このように発光層２１４は、赤色発光層２１４ｒと緑色発光層２１４ｇと青色発光層２１４ｂに分かれている。また、第２電極２１３は、赤色発光層２１４ｒと対向する位置に設けられた部分電極２１３ｒと、緑色発光層２１４ｇと対向する位置に設けられた部分電極２１３ｇと、青色発光層２１４ｂと対向する位置に設けられた部分電極２１３ｂに分かれている。したがって、第１電極２１５と部分電極２１３ｒとの電位差を変更することで赤色発光層２１４ｒからの発光量を調整することができ、第１電極２１５と部分電極２１３ｇとの電位差を変更することで緑色発光層２１４ｇからの発光量を調整することができ、第１電極２１５と部分電極２１３ｂとの電位差を変更することで青色発光層２１４ｂからの発光量を調整することができる。つまり、赤色発光層２１４ｒから出射される赤色光の強度と、緑色発光層２１４ｇから出射される緑色光の強度と、青色発光層２１４ｂから出射される青色光の強度を個別に調整することができる。
【００３１】
また、第１電極２１５には電源電位などの固定電位が印加される。したがって、調光回路１０８は、部分電極２１３ｒに印加する電位の大きさを変えることで、赤色発光層２１４ｒから出射される赤色光の強度を調整することができる。また、調光回路１０８は、部分電極２１３ｇに印加する電位の大きさを変えることで、緑色発光層２１４ｇから出射される緑色光の強度を調整することができる。また、調光回路１０８は、部分電極２１３ｂに印加する電位の大きさを変えることで、青色発光層２１４ｂから出射される青色光の強度を調整することができる。
【００３２】
なお、上述した配線層２１８には、第１電極２１５に固定電位を印加するための配線や、部分電極２１３ｒ，部分電極２１３ｇ，部分電極２１３ｂの各々に調光回路１０８から指示された電位を印加するための配線が形成されている。また、赤色発光層２１４ｒと緑色発光層２１４ｇと青色発光層２１４ｂの各々は、有機ＥＬ物質で形成された発光層の他に、電子ブロック層、正孔注入層、正孔輸送層、電子輸送層、電子注入層および正孔ブロック層の一部または全部を含んでいてもよい。
【００３３】
また、図３にはボトムエミッション構造を例示したが、図４に示すようにトップエミッション構造としてもよい。なお、トップエミッション構造の場合は、図４に示すように第１基板２１７上に発光素子２１２が形成される。また、第１電極２１５が、赤色発光層２１４ｒと対向する位置に設けられた部分電極２１５ｒと、緑色発光層２１４ｇと対向する位置に設けられた部分電極２１５ｇと、青色発光層２１４ｂと対向する位置に設けられた部分電極２１５ｂとに分けられ、第２電極２１３が共通電極となる。
【００３４】
図５は、光センサー１０７の構造を示す断面図である。
同図に示すように光センサー１０７は、カラーフィルター３０１と、３つのフォトダイオード３０２ｒ，３０２ｇ，３０２ｂとを備える。カラーフィルター３０１は、赤色光を透過する赤色透過膜３０１ｒと、緑色光を透過する緑色透過膜３０１ｇと、青色光を透過する青色透過膜３０１ｂと、これらの各透過膜の境界部分に設けられたブラックマトリクスとを備える。
【００３５】
フォトダイオード３０２ｒは、赤色透過膜３０１ｒと対向する位置に受光面が設けられ、外光のうち赤色透過膜３０１ｒを透過した光を受光し、受光量に応じた大きさの電流値（または電圧値）を検出信号ＤＡｒとして制御回路１０５に出力する。フォトダイオード３０２ｇは、緑色透過膜３０１ｇと対向する位置に受光面が設けられ、外光のうち緑色透過膜３０１ｇを透過した光を受光し、受光量に応じた大きさの電流値（または電圧値）を検出信号ＤＡｇとして制御回路１０５に出力する。フォトダイオード３０２ｂは、青色透過膜３０１ｂと対向する位置に受光面が設けられ、外光のうち青色透過膜３０１ｂを透過した光を受光し、受光量に応じた大きさの電流値（または電圧値）を検出信号ＤＡｂとして制御回路１０５に出力する。このようにフォトダイオード３０２ｒは外光に含まれる赤色光の強度を検出し、フォトダイオード３０２ｇは外光に含まれる緑色光の強度を検出し、フォトダイオード３０２ｂは外光に含まれる青色光の強度を検出する。
【００３６】
また、図示を省略しているが各液晶素子ＬＣのカラーフィルターＲ，Ｇ，Ｂは、自然光の入射によって適切な色再現ができるようにその透過特性が定められている。また、各発光素子２１２の赤色発光層２１４ｒから発光される赤色光のスペクトルは、液晶素子ＬＣのカラーフィルターＲの透過特性に合わせて設計されており、各発光素子２１２の緑色発光層２１４ｇから発光される緑色光のスペクトルは、液晶素子ＬＣのカラーフィルターＧの透過特性に合わせて設計されており、各発光素子２１２の青色発光層２１４ｂから発光される青色光のスペクトルは、液晶素子ＬＣのカラーフィルターＢの透過特性に合わせて設計されている。
【００３７】
そして、図６に示すように、光センサー１０７に備わる赤色透過膜３０１ｒの透過特性Ｐｒは、発光素子２１２の赤色発光層２１４ｒから発光される赤色光のスペクトルＳｒのピーク値や半値幅などに応じて定められており、光センサー１０７に備わる緑色透過膜３０１ｇの透過特性Ｐｇは、発光素子２１２の緑色発光層２１４ｇから発光される緑色光のスペクトルＳｇのピーク値や半値幅などに応じて定められており、光センサー１０７に備わる青色透過膜３０１ｂの透過特性Ｐｂは、発光素子２１２の青色発光層２１４ｂから発光される青色光のスペクトルＳｂのピーク値や半値幅などに応じて定められている。
【００３８】
光センサー１０７は、外光に含まれる赤色光の強度を検出信号ＤＡｒとして制御回路１０５に出力し、外光に含まれる緑色光の強度を検出信号ＤＡｇとして制御回路１０５に出力し、外光に含まれる青色光の強度を検出信号ＤＡｂとして制御回路１０５に出力する。また、制御回路１０５および調光回路１０８は、検出信号ＤＡｒ，ＤＡｇ，ＤＡｂに基づいて、フロントライト１０６から出射される照明光が白色光となるように（すなわち白色光のスペクトルに対して不足している部分を補うように）、全ての発光素子２１２について、赤色発光層２１４ｒから出射される赤色光の強度と、緑色発光層２１４ｇから出射される緑色光の強度と、青色発光層２１４ｂから出射される青色光の強度を調整する。なお、前述したようにフロントライト１０６から出射される照明光は、各発光素子２１２からの出射光（赤色光＋緑色光＋青色光）と、観察者側から各遮光層２１６が配置されていない部分を通ってフロントライト１０６に入射してきた外光とが合わさった光である。
【００３９】
例えば、表示装置１が白熱灯の下で使用されている場合、外光には赤色光の成分が多く含まれているので、各発光素子２１２から発光される緑色光と青色光の強度を強めることで、フロントライト１０６から出射される照明光が白色光となるようにする。また、青色光の成分が多い環境下で表示装置１が使用されている場合であれば、各発光素子２１２から発光される赤色光と緑色光の強度を強めることで、フロントライト１０６から出射される照明光が白色光となるようにする。
【００４０】
このように表示装置１は、外光のスペクトルを検出し、白色光のスペクトルに対して不足する部分を補うように、各発光素子２１２からの発光量を赤色光と緑色光と青色光の各々ごとに調整する。したがって、反射型液晶パネル１０１に照射される照明光は、外光のスペクトルが変化しても、たえず一定のスペクトルを有する白色光になる。よって、外光のスペクトルが異なっても表示装置１の色再現性を一定に保つことができる。
また、図６に示したように、光センサー１０７に備わる赤色透過膜３０１ｒの透過特性Ｐｒは、発光素子２１２に備わる赤色発光層２１４ｒの発光スペクトルＳｒに応じて定められ、光センサー１０７に備わる緑色透過膜３０１ｇの透過特性Ｐｇは、発光素子２１２に備わる緑色発光層２１４ｇの発光スペクトルＳｇに応じて定められ、光センサー１０７に備わる青色透過膜３０１ｂの透過特性Ｐｂは、発光素子２１２に備わる青色発光層２１４ｂの発光スペクトルＳｂに応じて定められている。よって、照明光のスペクトルを正確に調整することができる。
【００４１】
＜２：電子機器＞
次に、表示装置１を適用した電子機器について説明する。
図７に、表示装置１を適用したモバイル型のパーソナルコンピューターの構成を示す。パーソナルコンピューター２０００は、表示ユニットとしての表示装置１と本体部２０１０を備える。本体部２０１０には、電源スイッチ２００１とキーボード２００２が設けられている。
図８に、表示装置１を適用した携帯電話機の構成を示す。携帯電話機３０００は、表示ユニットとしての表示装置１と、複数の操作ボタン３００１と、スクロールボタン３００２を備える。スクロールボタン３００２を操作することで表示装置１に表示される画面がスクロールされる。
図９に、表示装置１を適用した情報携帯端末（ＰＤＡ：Personal Digital Assistants）の構成を示す。情報携帯端末４０００は、表示ユニットとしての表示装置１と、複数の操作ボタン４００１と、電源スイッチ４００２を備える。操作ボタン４００１を操作することで、住所録やスケジュール帳といった各種の情報が表示装置１に表示される。
なお、表示装置１が適用される電子機器としては、図７〜図９に示すものの他、テレビ、デジタルスチルカメラ、ビデオカメラ、カーナビゲーション装置、電子手帳、電卓、テレビ電話機、ＰＯＳ端末、プリンター、スキャナー、複写機、ビデオプレーヤー、電子ペーパー、デジタルサイネージ（電子看板／電子ポスター）などが挙げられる。
【００４２】
＜３．変形例＞
本発明は上述した実施形態に限定されるものではなく、例えば以下の変形が可能である。また、以下に示す２以上の変形を適宜組み合わせることもできる。
【００４３】
［変形例１］
光センサー１０７は、回折格子やプリズムなどの分光器を用いて外光を赤色光と緑色光と青色光に分光し、それぞれの色ごとに強度を検出する構成であってもよい。また、光センサー１０７は、外光の強度を赤色光と緑色光と青色光の各々ごとに検出する態様に限定されず、可視光領域における外光のスペクトルを検出できればよい。
【００４４】
［変形例２］
発光素子２１２において第１電極２１５と第２電極２１３は、両方とも赤色発光層２１４ｒと緑色発光層２１４ｇと青色発光層２１４ｂの各々に対応する３つの部分電極に分けられていてもよい。また、発光素子２１２は、有機ＥＬ素子に限らず無機ＥＬ素子であってもよい。また、フロントライト１０６から出射される照明光は、必ずしも白色光である必要はない。要は、外光のスペクトルが変化してもフロントライト１０６から出射される照明光のスペクトルを一定に保つことができればよい。
【００４５】
［変形例３］
フロントライト１０６の照射対象となる面積が極めて小さければ、フロントライト１０６において第１基板２１７と第２基板２１１の間に配置される発光素子２１２と遮光層２１６を各々１個にすることができる。また、照明光が照射される対象物は、反射型液晶パネル１０１（反射型液晶装置）に限らず、電子ペーパーなどの反射型表示装置であってもよいし、透過型の表示装置などであってもよい。また、照明光が照射される対象物は、オーディオ機器のメーターや自動車の速度メーター、ポスターなどの掲示物であってもよい。このように本発明に係る照明装置は、計器や掲示物を前面（観察者側）から照らすフロントライトであってもよい。
【符号の説明】
【００４６】
１…表示装置、１０１…反射型液晶パネル、ＦＳ…表示面、１０２…表示領域、１０５…制御回路、１０６…フロントライト、１０７…光センサー、１０８…調光回路、２０１…表示基板、２０２…ＴＦＴ、２０３…絶縁層、２０４…画素電極、２０５…液晶、２０６…共通電極、ＬＣ…液晶素子、２０７…対向基板、２０８…光散乱層、２０９…偏光板、２１０…樹脂層、２１１…第２基板、２１２…発光素子（有機ＥＬ素子）、２１３…第２電極（２１３ｒ，２１３ｇ，２１３ｂ…部分電極）、２１４…発光層（２１４ｒ…赤色発光層，２１４ｇ…緑色発光層，２１４ｂ…青色発光層）、２１５…第１電極（２１５ｒ，２１５ｇ，２１５ｂ…部分電極）、２１６…遮光層、２１７…第１基板、２１８…配線層、２１９ａ〜２１９ｄ…隔壁、３０１…カラーフィルター（３０１ｒ…赤色透過膜，３０１ｇ…緑色透過膜，３０１ｂ…青色透過膜）、３０２ｒ，３０２ｇ，３０２ｂ…フォトダイオード、ＤＡｒ，ＤＡｇ，ＤＡｂ…検出信号。
【図１】
2010232268.tif 000003
【図２】
2010232268.tif 000004
【図３】
2010232268.tif 000005
【図４】
2010232268.tif 000006
【図５】
2010232268.tif 000007
【図６】
2010232268.tif 000008
【図７】
2010232268.tif 000009
【図８】
2010232268.tif 000010
【図９】
2010232268.tif 000011